(57)【要約】【課題】  表示部の過昇温を抑制することが可能な画像形成装置を提供する。【解決手段】  この複写機（画像形成装置）１は、複写機１本体に対して回動し、複写機１に関する情報を表示するためのカラー液晶表示パネル２７を搭載した操作表示部２０と、操作表示部２０の内部に設けられ、操作表示部２０を冷却するためのファン３４と、操作表示部２０の裏面側に配置されるとともに、用紙が排出される胴内排出部６０とを備えている。また、操作表示部２０は、操作表示部２０の裏面に設けられた通気孔２２ａを含み、ファン３４は、操作表示部２０の通気孔２２ａを介して、胴内排出部６０に排出された用紙に向かって送風可能である。【選択図】  図６
2006343393.tif 000002
【特許請求の範囲】
【請求項１】
画像形成装置本体に対して可動し、装置に関する情報を表示するための表示部と、
前記表示部の内部に設けられ、前記表示部を冷却するためのファンとを備えた、画像形成装置。
【請求項２】
前記表示部の裏面側に配置されるとともに、用紙が排出される排出部をさらに備え、
前記表示部は、前記表示部の裏面に設けられた通気孔を含み、
前記ファンは、前記表示部の通気孔を介して、前記排出部に排出された用紙に向かって送風可能である、請求項１に記載の画像形成装置。
【請求項３】
前記表示部は、前記ファンにより発生する気流を前記ファンおよび前記通気孔の少なくとも一方に誘導するためのダクトを含む、請求項２に記載の画像形成装置。
【請求項４】
前記ファンを、装置の待機時に所定の第１速度で回転させるとともに、装置の動作時に前記第１速度よりも大きい第２速度で回転させるように制御する制御部をさらに備える、請求項２または３に記載の画像形成装置。
【請求項５】
前記制御部は、前記排出部に複数枚の用紙が連続して排出される際に、前記ファンを前記第２速度で回転させるように制御する、請求項４に記載の画像形成装置。
【発明の詳細な説明】
【技術分野】
【０００１】
本発明は、装置に関する情報を表示するための表示部を備えた画像形成装置に関する。
【背景技術】
【０００２】
従来、装置に関する情報を表示するための表示部を備えた画像形成装置が知られている（たとえば、特許文献１参照）。この特許文献１には、液晶表示パネル（表示部）を含む操作部の水平面に対する傾斜角度を変更可能に構成することにより、椅子などに着座した状態のユーザ（操作者）にも容易に装置の操作を行えるようにした電子画像装置（画像形成装置）が開示されている。
【０００３】
ところで、近年、画像形成装置では、表示部の視認性をより向上するために、カラー表示方式の大型液晶表示パネルを使用する傾向にあり、それに伴い、表示用回路として表示部に搭載されるＣＰＵ（発熱部材）の高速化が進んでいる。
【特許文献１】特開平１１−１１９４９８号公報
【発明の開示】
【発明が解決しようとする課題】
【０００４】
上記のような画像形成装置において、表示部に内蔵されたＣＰＵの高速化に伴う発熱量の増加に起因する表示部の過昇温を抑制したいという要望がある。
【０００５】
この発明は、上記のような要望に応えるためになされたものであり、表示部の過昇温を抑制することが可能な画像形成装置を提供することを目的とする。
【課題を解決するための手段】
【０００６】
上記目的を達成するために、この発明の請求項１に記載の画像形成装置は、画像形成装置本体に対して可動し、装置に関する情報を表示するための表示部と、表示部の内部に設けられ、表示部を冷却するためのファンとを備えている。
【０００７】
この請求項１に記載の画像形成装置では、上記のように、装置に関する情報を表示するための表示部を冷却するためのファンを設けることによって、表示部として大型のカラー液晶表示パネルを用いることにより表示部に内蔵されている表示用回路のＣＰＵの発熱量が増大したとしても、ファンにより表示部を十分に冷却することができる。また、画像形成装置本体に対して可動する表示部の内部にファンを設けることによって、画像形成装置本体に対する表示部の配置を変化させることにより表示部から吹き出すファンの風の方向を容易に変化させることができる。
【０００８】
上記請求項１に記載の画像形成装置において、表示部の裏面側に配置されるとともに、用紙が排出される排出部をさらに備え、表示部は、表示部の裏面に設けられた通気孔を含み、ファンは、表示部の通気孔を介して、排出部に排出された用紙に向かって送風可能であるとするのが好ましい（請求項２）。このように構成すれば、ファンの風を、表示部の裏面に設けられた通気孔を介して、排出部に排出される用紙に供給することができるので、画像形成処理後に排出部に排出される高温の用紙を冷却することができる。
【０００９】
上記請求項２に記載の画像形成装置において、表示部は、ファンにより発生する気流をファンおよび通気孔の少なくとも一方に誘導するためのダクトを含む（請求項３）。このように構成すれば、表示部に、ファンの駆動により発生する気流をファンに誘導するためのダクト（吸気ダクト）を設けた場合には、その吸気ダクトの入口付近や内部に強い気流を発生させることができる。また、表示部に、ファンの駆動により発生する気流を通気孔に誘導するためのダクト（排気ダクト）を設けた場合には、ファンの風が拡散することなく排気ダクト内を通過するので、表示部の通気孔から吹き出すファンの風の指向性を向上させ、風力を増大させることができる。
【００１０】
上記請求項２または３に記載の画像形成装置において、好ましくは、ファンを、装置の待機時に所定の第１速度で回転させるとともに、装置の動作時に第１速度よりも大きい第２速度で回転させるように制御する制御部をさらに備える（請求項４）。このように構成すれば、制御部により、装置の待機時にはファンを低速で回転させ、装置の動作時にはファンを高速で回転させることができる。
【００１１】
上記請求項４に記載の画像形成装置において、好ましくは、制御部は、排出部に複数枚の用紙が連続して排出される際に、ファンを第２速度で回転させるように制御する（請求項５）。このように構成すれば、排出部に複数枚の用紙が連続して排出される際には、ファンを高速で回転させる一方、排出部に用紙が１枚だけ排出（単発排出）される際には、ファンを低速で回転させるように制御することができるので、用紙同士の貼り付きが発生することがある連続排出の際にのみファンの回転速度を上げることができる。
【発明の効果】
【００１２】
上記請求項１に記載の画像形成装置によれば、ファンにより、大型のカラー液晶表示パネルを用いた表示部を十分に冷却することができるので、表示部の過昇温を抑制することができる。また、ファンを表示部の内部に設けたので、ファンを表示部の外部に設ける場合と異なり、表示部が大型化するのを抑制することができる。また、画像形成装置本体に向かって表示部から吹き出すファンの風の方向を容易に変化させることができるので、表示部からの風を画像形成装置本体の昇温部分などに供給して上記昇温部分を容易に冷却することができる。
【００１３】
上記請求項２に記載の画像形成装置によれば、画像形成処理後に排出部に排出される高温の用紙を冷却することができるので、排出部に複数枚の用紙が連続して排出される際には、ファンにより表示部の過昇温を抑制するのみならず、排出部に排出される用紙同士の熱による貼り付きをも抑制することができる。
【００１４】
上記請求項３に記載の画像形成装置によれば、ファンの駆動により発生する気流をファンに誘導するための吸気ダクトの入口付近や内部に強い気流を発生させることができるので、吸気ダクトの入口付近や内部に配置された部材をより効率良く冷却することができる。また、ファンの駆動により発生する気流を通気孔に誘導するための排気ダクトにより、通気孔から吹き出す風の指向性を向上させ、風力を増大させることができるので、表示部からの風を排出部に排出される用紙に効率良く供給して用紙を十分に冷却することができる。
【００１５】
上記請求項４に記載の画像形成装置によれば、排出部に用紙が排出されない装置の待機時には、少なくとも表示部を冷却可能なようにファンを低速で回転させる一方、排出部に用紙が排出される装置の動作時には、表示部のみならず排出部の用紙も冷却可能なようにファンを高速で回転させることができるので、ファンを常時高速で回転させる場合と異なり、ファンの駆動による騒音や消費電力を低減させることができる。
【００１６】
上記請求項５に記載の画像形成装置によれば、画像形成処理後の高温の用紙が排出部に連続して排出される際には、ファンを高速で回転させることができる一方、排出部に用紙が単発排出された際には、ファンを低速で回転させることができるので、用紙同士の貼り付きが発生する可能性がある連続排出の際にのみファンの回転速度を上げることができる。これにより、排出部に排出された用紙同士の貼り付きを抑制しながら、ファンの駆動による騒音や消費電力をより低減させることができる。
【発明を実施するための最良の形態】
【００１７】
以下、本発明の実施形態を図面に基づいて説明する。
【００１８】
図１〜図３は、本発明の一実施形態による複写機の構成を示した図であり、図４〜図７は、図１に示した複写機の操作表示部の構成を示した図である。また、図８は、図１に示した複写機の電気的構成を示したブロック図である。まず、図１を参照して、本発明の一実施形態による複写機１の全体構成について説明する。なお、本実施形態では、本発明の画像形成装置の一例として、複写機１を用いた場合について説明する。
【００１９】
本発明の一実施形態による複写機１は、図１に示すように、原稿画像の読み取りなどを行う上方ハウジング１ａと、上方ハウジング１ａの下方に設けられ、用紙（記録紙）に画像の印刷を行う下方ハウジング１ｂとにより構成されている。また、複写機１は、上方ハウジング１ａと下方ハウジング１ｂとの間に、機器の右前方から水平に内側（奥側）に入り込むように形成された空間部１ｃを有しており、その空間部１ｃには、後述する下方ハウジング１ｂから排出（胴内排出）される用紙を積載するための胴内排出部６０が設けられている。なお、胴内排出部６０は、本発明の「排出部」の一例である。
【００２０】
上方ハウジング１ａは、原稿画像を読み取るための原稿読取部１０と、原稿読取部１０の前方に配置され、ユーザ（操作者）の操作に応じて所定の指示入力を行うための操作表示部２０とを備えている。すなわち、本実施形態による複写機１では、操作表示部２０の裏面側に胴内排出部６０が配置されている。なお、操作表示部２０は、本発明の「表示部」の一例である。また、原稿読取部１０の上部には、原稿を自動的に１枚ずつ原稿読取部１０へ搬送する原稿給送部（ＡＤＦ：原稿自動送り装置）１０ａが原稿読取部１０の上面に対して開閉可能に配設されている。
【００２１】
原稿読取部１０は、原稿の画像を読み取るとともに、その原稿画像に対応する画像データを生成するための機能を有している。この原稿読取部１０は、図２に示すように、光学的に取得した原稿の画像から画像データを生成するＣＣＤ（Ｃｈａｒｇｅ  Ｃｏｕｐｌｅｄ  Ｄｅｖｉｃｅ）センサおよび露光ランプなどを備えたスキャナ（図示せず）と、スキャナの上面に配置された原稿読み取り用のコンタクトガラス１１とを含んでいる。原稿読取部１０は、コンタクトガラス１１上に載置された原稿や、原稿給送部１０ａによってコンタクトガラス１１に接触するようにして移送される原稿から取得した画像データなどの情報を後述する制御部７０（図８参照）へ出力するように構成されている。
【００２２】
ここで、本実施形態では、操作表示部２０は、図１〜図３に示すように、複写機１本体とは別体の独立した構造を有しており、複写機１本体に対して可動（回動）するように構成されている。すなわち、操作表示部２０は、図４〜図６に示すように、指示入力を行うための操作表示ユニット２１と、操作表示ユニット２１を下方から支持するとともに、取付部材２３により複写機１本体に取り付けられる支持ユニット２２とにより構成されている。また、支持ユニット２２は、図６に示すように、軸２４を介して取付部材２３に取り付けられており、軸２４を中心に回動しながら水平面下方側に複数段階に角度調節が可能なように構成されている。これにより、操作表示部２０のパネル面を垂直方向に傾斜させて装置前方に向けることが可能となるので、たとえば椅子などに着座した状態のユーザ（操作者）も、容易に複写機１の操作を行うことが可能となる。
【００２３】
操作表示ユニット２１は、図４に示すように、ユーザがコピー（複写）開始の指示を入力するためのスタートキー２５と、印刷部数などを入力するためのテンキー２６と、複写動作の設定を入力するための操作ガイド情報などを表示するとともに、種々の操作ボタンなどが表示されるタッチパネル式のカラー液晶表示パネル（ＬＣＤ）２７と、複写機１に搭載された各種機能の実行を指示するための機能ボタン２８とを含んでいる。また、操作表示ユニット２１は、図６に示すように、液晶表示パネル２７の裏面側に配置され、ＣＰＵ（発熱素子）３１が搭載された表示用回路としての基板３２と、基板３２上のＣＰＵ３１に隣接して設けられ、ＣＰＵ３１に対する冷却機能を有する放熱板（ヒートシンク）３３とを含んでいる。なお、本実施形態では、カラー表示方式の液晶表示パネル２７を使用しているため、発熱量の大きい高速処理可能なＣＰＵ３１を操作表示ユニット２１に搭載している。
【００２４】
また、本実施形態では、支持ユニット２２の内面の中央近傍には、図７に示すように、操作表示部２０の内部を冷却するためのファン３４が設けられている。また、支持ユニット２２のファン３４に対応する位置には、図５および図６に示すように、ファン３４からの風を通過させるための通気孔２２ａが形成されている。ファン３４は、図６に示すように、支持ユニット２２が操作表示ユニット２１を支持する際には、操作表示部２０に内蔵された状態になるとともに、操作表示ユニット２１に設けられた放熱板３３の先端付近に位置するように構成されている。このように、ファン３４を操作表示部２０に内蔵されるように支持ユニット２２に設けることによって、ファン３４を操作表示部２０の外部に設ける場合と異なり、操作表示部２０が大型化するのを抑制することが可能である。また、本実施形態の複写機１では、空間部１ｃの胴内排出部６０が操作表示部２０の裏面側に位置するように構成されているので、操作表示部２０に内蔵されたファン３４の駆動により生成された風は、操作表示部２０の内部を冷却した後、支持ユニット２２の通気孔２２ａを介して空間部１ｃの胴内排出部６０に供給されるようになっている。また、操作表示部２０が複写機１本体に対して回動可能に構成されているため、操作表示部２０から吹き出す風の方向を変化させて胴内排出部６０の奥部にまで風を供給することが可能である。
【００２５】
また、ファン３４は、後述する制御部７０（図８参照）により、複写機１が複写動作を行う際には、高速（全速）で回転するように制御されるとともに、複写機１が待機状態（複写動作を行っていない状態）にある際には、低速（半速：全速の約１／２の回転速度）で回転するように制御される。なお、ファン３４は、胴内排出部６０に用紙が１枚だけ排出（単発排出）される際には、上記低速（半速）で回転するように制御される。また、複写機１が、指示入力のない状態が所定時間経過することにより液晶表示パネル２７が消灯する、いわゆるスリープモード（節電状態）にある際には、ＣＰＵ３１の発熱量が比較的小さくなることから、ファン３４が停止するように制御される。これにより、ファン３４の駆動による騒音や電力消費を抑制することが可能である。
【００２６】
なお、本実施形態の操作表示部２０は、ファン３４と基板３２上のＣＰＵ３１とが隣接するような構造を有しているため、ファン３４によるＣＰＵ３１に対する冷却効果を十分に得ることが可能であるが、たとえば、操作表示部２０内にファン３４とＣＰＵ３１とを連結するような吸気ダクト（図示せず）を設けた場合には、その吸気ダクトの入口に位置するＣＰＵ３１の近傍に強い気流を発生させることができるので、基板３２上のＣＰＵ３１をより効率良く冷却することが可能となる。また、この場合、吸気ダクトの内部に位置する放熱板３３の付近にも強い気流が発生するので、放熱板３３のＣＰＵ３１に対する冷却効果をさらに向上させるという効果も奏する。また、本実施形態において、ファン３４と支持ユニット２２の通気孔２２ａとが互いに離れた位置に設置されている場合には、ファン３４と通気孔２２ａとを連結するような排気ダクト（図示せず）を操作表示部２０内に設けてもよい。なお、これらの吸気ダクトおよび排気ダクトは、本発明の「ダクト」の一例である。
【００２７】
また、支持ユニット２２の内面には、図７に示すように、複写機１の音源としてのスピーカ３５が取り付けられている。
【００２８】
下方ハウジング１ｂは、図１に示すように、用紙（記録紙）に印刷を行うための画像形成部４０と、画像形成部４０に対して用紙の給紙を行うための給紙部５０とを備えている。
【００２９】
画像形成部４０は、原稿読取部１０で取得した画像データに基づいて給紙部５０により搬送されてきた用紙に所定の画像を形成する（印刷する）ための機能を有している。この画像形成部４０は、図示しないが、回転可能に設けられた感光体ドラムと、感光体ドラムの周囲に設置された帯電部、レーザ走査ユニット、現像部、転写ローラおよびクリーニング部と、感光体ドラムの下流側に配置された誘導加熱方式の画像定着部と、用紙を画像形成部４０から胴内排出部６０へ搬送するための用紙搬送路とを含む周知の構成を有している。また、画像定着部は、ヒートローラおよび加圧ローラの接触部分を通過する用紙表面のトナー像を、ヒートローラで発生する熱により溶解させるとともに、加圧ローラによる押圧力で用紙上に定着させることが可能なように構成されている。このため、画像定着部を通過して胴内排出部６０に排出された直後の用紙は、比較的高温状態となっている。
【００３０】
給紙部５０は、各サイズ（たとえば、Ａ３、Ａ４、Ｂ４およびＢ５など）の用紙を収納可能な上下一対の給紙カセット５１を備えており、これらの給紙カセット５１から搬送経路（図示せず）を介して画像形成部４０へ用紙を搬送する。
【００３１】
胴内排出部６０は、図２に示すように、画像形成部４０から搬送されてきた用紙を胴内排出部６０へ排出するための排出ローラ６１と、排出された用紙を積載するための用紙排出トレイ６２とを含んでいる。
【００３２】
また、本実施形態では、複写機１は、図８に示すように、演算処理を実行するＣＰＵ、処理プログラムやデータなどを記憶するＲＯＭ、および、データを一時的に記憶するＲＡＭなどにより構成される制御部７０を備えている。この制御部７０は、原稿読取部１０、操作表示部２０、画像形成部４０、給紙部５０およびファン駆動部８０と電気的に接続されており、操作表示部２０で設定された用紙サイズや、倍率、濃度、複写部数などの画像形成条件に基づいて原稿読取部１０、画像形成部４０および給紙部５０における各動作を制御するための機能を有している。
【００３３】
また、制御部７０は、ファン駆動部８０を動作させるためのモード判定部７１、ファン制御部７２、および、動作設定部７３を有している。モード判定部７１は、操作表示部２０からの入力信号に基づいて、ＲＯＭに記憶されている３つの動作モードの中から複写機１の胴内排出部６０への排出動作に対応する動作モードを判定し、その判定信号を動作設定部７３へ出力するための機能を有している。ファン制御部７２は、ファン３４を駆動させるための制御信号を動作設定部７３で設定された回転速度に応じて生成し、その制御信号をファン駆動部８０へ出力するための機能を有している。動作設定部７３は、モード判定部７１からの判定信号を読み出して、３つの動作モードに各々対応するファン３４の回転速度を設定するための機能を有している。なお、本実施形態では、上記３つの動作モードとして、ファン３４を全速で回転させる第１モードと、ファン３４を半速（全速の約１／２の回転速度）で回転させる第２モードと、ファン３４を停止させる第３モードとが設定されている。
【００３４】
次に、制御部７０による複写機１のファン３４の駆動動作について説明する。
【００３５】
ユーザにより操作表示部２０のテンキー２６が操作されて、原稿読取部１０で取得される画像データに対する複写部数が入力されると、その入力信号が操作表示部２０から制御部７０に送信され、制御部７０においてファン３４の動作モードの判定が行われる。
【００３６】
具体的には、原稿給送部１０ａに用紙が１枚だけセットされ、かつ、操作表示部２０において複写部数が１部であるとの入力が行われた場合には、モード判定部７１は、当該複写機１が胴内排出部６０に用紙を１枚だけ排出（単発排出）させる動作モードを次に実行することを所定の判定信号として出力する。この判定信号は、動作設定部７３に読み出される。この場合には、胴内排出部６０に排出された用紙同士の熱による貼り付きを考慮する必要がないため、動作設定部７３により上記第２モードに対応するファン３４の回転速度が設定される。そして、ファン制御部７２により、この第２モードに対応する回転速度に相当するファン制御信号が生成され、ファン駆動部８０へ出力される。これにより、ファン３４が半速で回転される。
【００３７】
また、原稿給送部１０ａに用紙が１枚だけセットされ、かつ、操作表示部２０において複写部数が複数部であるとの入力が行われた場合には、モード判定部７１は、当該複写機１が胴内排出部６０に複数枚の用紙を連続して排出させる動作モードを次に実行することを所定の判定信号として出力する。この判定信号は、動作設定部７３に読み出される。この場合には、胴内排出部６０に排出された用紙同士の熱による貼り付きが発生する可能性があるため、動作設定部７３により上記第１モードに対応するファン３４の回転速度が設定される。そして、ファン制御部７２により、この第１モードに対応する回転速度に相当するファン制御信号が生成され、ファン駆動部８０へ出力される。これにより、ファン３４が全速で回転される。なお、原稿給送部１０ａに複数枚の用紙がセットされた場合にも、胴内排出部６０に複数枚の用紙が連続して排出されるため、動作設定部７３により第１モードに対応するファン３４の回転速度が設定され、ファン３４が全速で回転される。
【００３８】
本実施形態では、上記のように、複写機１に関する情報を表示するための操作表示部２０を冷却するためのファン３４を設けることによって、カラー液晶表示パネル２７の表示用回路として操作表示部２０に内蔵されている基板３２上のＣＰＵ３１の発熱量が大きい場合にも、ファン３４により操作表示部２０を十分に冷却することができるので、操作表示部２０の過昇温を抑制することができる。
【００３９】
また、本実施形態では、上記のように、複写機１本体に対して回動する操作表示部２０の内部にファン３４を設けるとともに、操作表示部２０の裏面に通気孔２２ａを形成することによって、複写機１本体に対する操作表示部２０の傾斜角度を変化させることにより操作表示部２０から吹き出すファン３４の風の方向を容易に変化させることができるので、ファン３４の風を、通気孔２２ａを介して胴内排出部６０の用紙に供給することができる。これにより、画像形成処理後に胴内排出部６０に排出される高温の用紙を冷却することができるので、胴内排出部６０に複数枚の用紙が連続して排出される際には、ファン３４により操作表示部２０の過昇温を抑制するのみならず、胴内排出部６０に排出される用紙同士の熱による貼り付きをも抑制することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、本発明を画像形成装置の一例としての複写機に適用する例について説明したが、本発明はこれに限らず、複写機以外のたとえばファクシミリやスキャナなどの画像形成装置にも本発明を適用可能である。
【００４２】
また、上記実施形態では、図５に示すように、支持ユニット２２のファン３４に対応する位置に通気孔２２ａを形成する例について示したが、本発明はこれに限らず、図９に示すように、上記通気孔２２ａに加えて、通気孔２２ａから支持ユニット１２２の左右方向に所定の間隔を隔てた位置に一対の通気孔２２ｂを形成してもよい。このように構成すれば、操作表示部１２０の裏面の中央部のみならず両端部近傍からもファン３４の風が吹き出すので、胴内排出部６０に排出される用紙に対して、その用紙サイズ（Ａ３、Ａ４、Ｂ４およびＢ５など）に関わらず、より均等に風を供給することができる。また、上記構成の操作表示部１２０では、支持ユニット１２２の両端部近傍に形成された通気孔２２ｂとファン３４とが互いに離れた構成を有しているため、ファン３４と通気孔２２ｂとを各々連結するような一対の排気ダクト３６を操作表示部１２０内に設けるのが好ましい。なお、操作表示部１２０は、本発明の「表示部」の一例であり、排気ダクト３６は、本発明の「ダクト」の一例である。これにより、一対の通気孔２２ｂから胴内排出部６０に向かって吹き出すファン３４の風の指向性を向上させることが可能であるので、胴内排出部６０に排出された用紙をより効率良く冷却することが可能となる。また、通気孔２２ａおよび２２ｂは、操作表示部２０（１２０）の裏面以外の側面などに形成されていてもよいし、操作表示部２０（１２０）に設けられる通気孔２２ａおよび２２ｂの数も、上記実施形態およびその変形例に限定されるものではない。
【００４３】
また、上記実施形態では、胴内排出部に用紙が１枚だけ排出（単発排出）される際のファンの回転速度を全速の約１／２となるように設定する例について示したが、本発明はこれに限らず、操作表示部２０内を十分に冷却することが可能であれば、上記単発排出時のファンの回転速度をたとえば全速の約１／４となるように設定してもよい。
【図面の簡単な説明】
【００４４】
【図１】本発明の一実施形態による複写機の全体構成を示した斜視図である。
【図２】図１に示した一実施形態による複写機を右方向から見た状態を示した部分側面図である。
【図３】図１に示した一実施形態による複写機を右前方斜め下方向から見た状態を示した部分斜視図である。
【図４】図１に示した一実施形態による複写機の操作表示部を示した斜視図である。
【図５】図４に示した操作表示部の裏面図である。
【図６】図４中の１００−１００線に沿った断面図である。
【図７】図４に示した操作表示部の内部構造を説明するための分解斜視図である。
【図８】図１に示した一実施形態による複写機の電気的構成を示したブロック図である。
【図９】本発明の一実施形態の変形例による操作表示部を示した裏面図である。
【符号の説明】
【００４５】
１  複写機（画像形成装置）
２０、１２０  操作表示部（表示部）
２２ａ、２２ｂ  通気孔
３４  ファン
３６  排気ダクト（ダクト）
６０  胴内排出部（排出部）
７０  制御部
【図１】
2006343393.tif 000003
【図２】
2006343393.tif 000004
【図３】
2006343393.tif 000005
【図４】
2006343393.tif 000006
【図５】
2006343393.tif 000007
【図６】
2006343393.tif 000008
【図７】
2006343393.tif 000009
【図８】
2006343393.tif 000010
【図９】
2006343393.tif 000011